(57)【特許請求の範囲】
【請求項１】
建物に固定される樋受本体と、外側樋耳係止部を有する樋保持部材と、内側樋耳係止部を有する樋耳係止部材とからなり、上記樋受本体と樋保持部材の水平部分相互の上下の重なり部分を設けて該樋受本体と樋保持部材をスライド自在に結合し、上記の重なり部分に上記樋耳係止部材を嵌合してなる樋受具において、上記重なり部分における上部の部材に少なくとも１箇所の上部ピン穴、下部の部材に該上部ピン穴より大径の下部ピン穴を複数箇所に設け、上下各部のピン穴に１本の位置決めピンを上下動自在に挿通し、上記位置決めピンの上端に上部ピン穴より大径の上部ヘッドを設け、該位置決めピンの下端に下部ピン穴より小径で、かつ上部ピン穴より大径の下部ヘッドを設け、上記の上部ピン穴の下端に下部ヘッドの落し込み部を設けたことを特徴とする樋受具。
【請求項２】
上記樋耳係止部材はプラスチックの一体成形品でなり、上記樋受本体の水平部分と平行な天板部を有すると共に、該天板部の内端から下向き直角に屈曲した内側脚部を形成し、更にその下端を斜め外方上向きに屈曲して上記の内側樋耳係止部を設け、また、上記天板部の外端から斜め外方下向きに屈曲して外側脚部を形成し、更にその下端を斜め内方上向きに屈曲して該内側樋耳係止部に対向した樋耳押さえ部を設けてなり、上記天板部に上記樋受本体及び樋保持部材の両部材の水平部分をスライド自在に挿通せしめ、かつ上記樋保持部材を該樋耳係止部材に係合せしめたことを特徴とする請求項１に記載の樋受具。
【請求項３】
建物に固定される樋受本体と、外側樋耳係止部及び内側樋耳係止部を有する樋保持部材とからなり、上記樋受本体と樋保持部材の水平部分相互の上下の重なり部分を設けて該樋受本体と樋保持部材をスライド自在に結合してなる樋受具において、上記重なり部分における上部の部材に少なくとも１箇所の上部ピン穴、下部の部材に該上部ピン穴より大径の下部ピン穴を複数箇所に設け、上下各部のピン穴に１本の位置決めピンを上下動自在に挿通し、上記位置決めピンの上端に上部ピン穴より大径の上部ヘッドを設け、該位置決めピンの下端に下部ピン穴より小径で、かつ上部ピン穴より大径の下部ヘッドを設け、上記の上部ピン穴の下端に下部ヘッドの落し込み部を設けたことを特徴とする樋受具。
【請求項４】
上記樋保持部材をプラスチックの一体成形品により形成し、該樋受保持部材に水平方向の挿通穴を設け、その挿通穴に前記樋受本体の水平部をスライド自在に挿通することにより樋受本体と樋保持部材の上下の重なり部分を設け、該樋保持部材の上記挿通穴より上部の部分に前記の上部ピン穴を設け、該挿通穴に挿通された樋受本体の部分に前記の下部ピン穴を設けたことを特徴とする請求項３に記載の樋受具。
【請求項５】
建物に固定される樋受本体と、外側樋耳係止部を有する樋保持部材と、内側樋耳係止部を有する樋耳係止部材とからなり、上記樋受本体と樋保持部材の水平部分相互の上下の重なり部分を設けて該樋受本体と樋保持部材をスライド自在に結合し、上記重なり部分に上記樋耳係止部材を嵌合してなる樋受具において、上記樋耳係止部材はプラスチックの一体成形品でなり、上記樋受本体の水平部分と平行な天板部を有すると共に、該天板部の内端から下向き直角に屈曲した内側脚部を形成し、更にその下端を斜め外方上向きに屈曲して上記の内側樋耳係止部を設け、また、上記天板部の外端から斜め外方下向きに屈曲して外側脚部を形成し、更にその下端を斜め内方上向きに屈曲して該内側樋耳係止部に対向した樋耳押さえ部を設けてなり、上記天板部に上記樋受本体及び樋保持部材の両部材の水平部分をスライド自在に挿通せしめ、かつ上記樋保持部材を該樋耳係止部材に係合せしめ、前記樋受本体に複数箇所の固定側ピン穴を設けると共に樋保持部材に少なくとも１箇所の可動側ピン穴を設け、上記樋耳係止部材にアームを設けると共に、該アームに前記固定側及び可動側ピン穴より小径のピン挿通穴を設けこれに位置決めピンを上下動自在に挿通し、上記位置決めピンの上端に上記ピン挿通穴より大径の上部ヘッドを設け、該位置決めピンの下端に前記固定側及び可動側ピン穴より小径で、かつ上記ピン挿通穴より大径の下部ヘッドを設け、上記のピン挿通穴の下端に下部ヘッドの落し込み部を設けたことを特徴とする樋受具。
【請求項６】
建物に固定される樋受本体と、外側樋耳係止部を有する樋保持部材と、内側樋耳係止部を有する樋耳係止部材とからなり、上記樋受本体と樋保持部材の水平部分相互の上下の重なり部分を設けて該樋受本体と樋保持部材をスライド自在に結合し、上記重なり部分に上記樋耳係止部材を嵌合してなる樋受具において、上記樋耳係止部材はプラスチックの一体成形品でなり、上記樋受本体の水平部分と平行な天板部を有すると共に、該天板部の内端から下向き直角に屈曲した内側脚部を形成し、更にその下端を斜め外方上向きに屈曲して上記の内側樋耳係止部を設け、また、上記天板部の外端から斜め外方下向きに屈曲して外側脚部を形成し、更にその下端を斜め内方上向きに屈曲して該内側樋耳係止部に対向した樋耳押さえ部を設けてなり、上記天板部に上記樋受本体及び樋保持部材の両部材の水平部分をスライド自在に挿通せしめ、かつ上記樋保持部材を該樋耳係止部材に係合せしめ、前記樋受本体に少なくとも１箇所の固定側ピン穴を設けると共に樋保持部材に複数箇所の可動側ピン穴を設け、上記樋受本体と樋保持部材とにこれらを抱持するピン保持枠を嵌め、上記ピン保持枠に形成した上穴と下穴を前記の可動側ピン穴と固定側ピン穴とに合致させて位置決めピンを上下動自在に挿通し、該位置決めピンの下部ヘッドを上記下穴、固定側ピン穴、可動側ピン穴より小径に形成すると共に、位置決めピンの上部ヘッドを上穴より大径に形成し、該上穴の下端に下部ヘッドの落し込み部を設けたことを特徴とする樋受具。
【請求項７】
建物に固定される樋受本体と、外側樋耳係止部を有する樋保持部材と、内側樋耳係止部を有する樋耳係止部材とからなり、上記樋受本体と樋保持部材の水平部分相互の上下の重なり部分を設けて該樋受本体と樋保持部材をスライド自在に結合し、上記重なり部分に上記樋耳係止部材を嵌合してなる樋受具において、上記樋耳係止部材はプラスチックの一体成形品でなり、上記樋受本体の水平部分と平行な天板部を有すると共に、該天板部の内端から下向き直角に屈曲した内側脚部を形成し、更にその下端を斜め外方上向きに屈曲して上記の内側樋耳係止部を設け、また、上記天板部の外端から斜め外方下向きに屈曲して外側脚部を形成し、更にその下端を斜め内方上向きに屈曲して、該内側樋耳係止部に対向した樋耳押さえ部を設けてなり、上記天板部に上記樋受本体及び樋保持部材の両部材の水平部分をスライド自在に挿通せしめ、かつ上記樋保持部材を該樋耳係止部材に係合せしめ、前記樋受本体に少なくとも１箇所の固定側ピン穴を設けると共に樋保持部材に複数箇所の可動側ピン穴を設け、上記樋耳係止部材の天板部に天板穴を設け、上記可動側ピン穴と固定側ピン穴に上記の天板穴を合致させて位置決めピンを上下動自在に挿通し、該位置決めピンの下部ヘッドを固定側ピン穴、可動側ピン穴より小径に形成すると共に、位置決めピンの上部ヘッドを天板穴より大径に形成し、該天板穴の下端に下部ヘッドの落し込み部を設けたことを特徴とする樋受具。
【請求項８】
上記下部ヘッドの落し込み部が、上部ピン穴を設けた樋受本体又は樋保持部材のいずれか一方の部材に該上部ピン穴下端が溝底に通じた長手方向の溝により形成されたことを特徴とする請求項１から７のいずれかに記載の樋受具。
【発明の詳細な説明】
【０００１】
【発明の属する技術分野】
この発明は樋受具に関するものである。
【０００２】
【従来の技術】
樋受具においては、建物に対する取付け位置から樋の位置までの寸法を適宜調整すること（いわゆる出調整）ができるように、樋受本体に対して樋保持部材をスライド自在に組合わせている。
【０００３】
図４５はその一例であり、この場合の樋受具は、建物に固定するための樋受本体１の下面に樋保持部材２をスライド自在に重ねている。樋受本体１は、先端の水平部３を屈曲して立上がり部４を設け、その立上がり部４を屈曲して立上がり水平部５を設け、更にその立上がり水平部５を下向きに屈曲して取付け部６を設けている。
【０００４】
また、樋保持部材２は、前記の水平部３と重なる水平部７を有し、その水平部７の先端に外側樋耳係止部８を設け、また該水平部７の後端に立上がり部９を設けている。更に、その立上がり部９を屈曲して立上がり水平部１１を設け、更にその立上がり水平部１１を下向きに屈曲すると共にその下端をＶ形に屈曲して内側樋耳係止部１２を形成している。更に、前記の水平部７の後端部下面に一端を取付けた押さえばね１３の他端を前記の内側樋耳係止部１２に臨ませている。なお、図中１４、１４’は断面下向きコの字形に屈曲した屈曲部を示す。
【０００５】
樋受本体１の立上がり水平部５には長穴１５が設けられ、その長穴１５に挿通したリベット１６を樋保持部材２の立上がり水平部１１に固定している。
【０００６】
また、水平部３と７の重なり部分１０において、樋保持部材２の水平部７に長穴１７を設けると共に、樋受本体１の水平部３に穴１８を設け、その穴１８と前記の長穴１７とにボルト１９を挿通し、樋受本体１に対する樋保持部材２の所定のスライド位置で蝶ナット２１で締付けるようにしている。
【０００７】
【発明が解決しようとする課題】
上記のごとき樋受具においては、樋の建物に対する出の寸法に応じて樋受本体１に対する樋保持部材２の位置を調整したうえで蝶ナット２１を締め付け、樋受具全体を建物に固定し、その後必要に応じて上記の締め付けを緩めて再調整するようにしていた。
【０００８】
上記のごとき穴１８と長穴１７及びこれらに挿通されたボルト１９と蝶ナット２１の組合せでなるスライド調整部１０は、そのスライドストロークの最大限と最小限の間で細かく出の寸法を設定し、或いは細かく微調整することができる。
【０００９】
しかしながら、樋の出の寸法は３段階程度に規格化されているため、樋受具としてはその規格に合わせた３種類程度のものを用意しておくだけで実用上問題がない。それにもかかわらず、従来は上記のごときスライド調整部を採用していたため、樋受具の種類は少なくてすむが、部品点数が多くなり、また取付け作業が煩雑になる問題があった。
【００１０】
そこで、この発明は樋受具のスライド調整部の構造を簡単にしてコストの低減、及び作業の能率化を図ることを目的とする。
【００１１】
【課題を解決するための手段】
上記の目的を達成するために、請求項１に記載の発明は、建物に固定される樋受本体と、外側樋耳係止部を有する樋保持部材と、内側樋耳係止部を有する樋耳係止部材とからなり、上記樋受本体と樋保持部材の水平部分相互の上下の重なり部分を設けて該樋受本体と樋保持部材をスライド自在に結合し、上記重なり部分に上記樋耳係止部材を嵌合してなる樋受具において、上記重なり部分における上部の部材に少なくとも１箇所の上部ピン穴、下部の部材に該上部ピン穴より大径の下部ピン穴を複数箇所に設け、上下各部のピン穴に１本の位置決めピンを上下動自在に挿通し、上記位置決めピンの上端に上部ピン穴より大径の上部ヘッドを設け、該位置決めピンの下端に下部ピン穴より小径で、かつ上部ピン穴より大径の下部ヘッドを設け、上記の上部ピン穴の下端に下部ヘッドの落し込み部を設けた構成としたものである。
【００１２】
上記の樋耳係止部材をプラスチックの一体成形品とすることができる（請求項２）。
【００１３】
また、樋受本体と樋保持部材の２部材を基本的構成要素とする構成をとることができる。
【００１４】
その他、位置決めピンを樋耳係止部材にばね性あるアームを介して設ける等の種々の具体的構成をとることができる。
【００１５】
【作用】
上記樋受具において、これを建物に取付ける際の出の寸法の設定は、上部ピン穴に対していずれか１つの下部ピン穴を選択し、その選択した下部ピン穴に位置決めピンを挿通するのであるが、このために、まず樋受具の上下を反転する。そうすると、位置決めピンは、それ以前に挿通していた下部ピン穴から自重で抜け出し、下部ヘッドが下部ピン穴下端の落し込み部に嵌る。下部ヘッドは上部ピン穴より大径であるので、位置決めピンは上部ピン穴から抜け出すことはない。
【００１６】
位置決めピンが下部ピン穴から抜け出すと、樋保持部材は樋受本体に対して非拘束状態となるので、これをスライドさせて、上部ピン穴と合致する他の下部ピン穴を選択する。そのうえで、樋受具を再反転して元の状態に戻すと、位置決めピンは、上部ピン穴と選択後の下部ピン穴に挿通する。その結果、樋保持部材のスライドが規制され、樋受本体に対する樋保持部材の位置が定まる。
【００１７】
上記の出の寸法の設定に際し、樋受具の上下を反転することなく、作業者が指先で位置決めピンの上部ヘッドをつまんで持ち上げて下部ヘッドを落込み部に嵌め、しかるのちに樋保持部材をスライドさせ、該位置決めピンを他の下部ピン穴に挿通するようにしてもよい。
【００１８】
【発明の実施の形態】
以下、この発明の実施の形態を添付図面に基づいて説明する。
【００１９】
（第１実施形態）
図１から図３に示した第１実施形態は、金属帯板をＬ形に屈曲して水平部３と取付け部６を形成した樋受本体１を有し、その樋受本体１の水平部３の下面に金属帯板でなる樋保持部材２の水平部７を長さ方向にスライド自在に重ねた重なり部分１０が設けられる。この樋保持部材２の先端を上向きに屈曲して外側樋耳係止部８が形成される。上記取付け部６に取付け板６’が固着される。
【００２０】
上記の樋受本体１と樋保持部材２の重なり部分１０には樋耳係止部材２３が嵌合される。この樋耳係止部材２３はポリカーボネート等の硬質プラスチックの一体成形品であり、水平の天板部２４の内端（建物側端部）から下向きに直角に屈曲して内側脚部２５を形成し、更にその下端を斜め外方上向きに屈曲して内側樋耳係止部２６を形成している。また天板部２４の外端（反建物側端部）から斜め外方下向きに屈曲して外側脚部２７を形成し、更にその下端を斜め内方上向きに屈曲し、その厚板を薄くして弾力を付与した樋耳押さえ部２８を形成している。
【００２１】
上記の天板部２４には断面が扁平な四角形の挿通穴２９（図２参照）が内外方向に貫通される。この挿通穴２９は、前記の樋受本体１と樋保持部材２の重なり部分１０をがたつきなくスライド可能に挿通できる大きさである。またその挿通穴２９の内端下面に抜け止め用の小突起３１が形成される。樋保持部材２の内端部には四角形の長穴３４が設けられる。この長穴３４は該樋保持部材２を前記の樋耳係止部材２３の挿通穴２９に挿通した状態で前記の小突起３１に係合され、樋保持部材２に対する樋耳係止部材２３の移動範囲を規制する。
【００２２】
上記重なり部分１０において、樋受本体１の先端部分の１箇所に上部ピン穴３２が形成され、樋保持部材２には上記の上部ピン穴３２より若干大径の下部ピン穴３３が複数箇所に一定間隔をおいて形成される。各下部ピン穴３３はそれぞれ上部ピン穴３２と合致しうる位置に形成される。上部ピン穴３２の下端には、図３（ａ）に示すように、テーパ状に拡径部された落し込み部３６が形成されている。下部ピン穴３３はその落し込み部３６の最大径と同程度に形成される。
【００２３】
上記ピン穴３２と、いずれか一つの下部ピン穴３３に位置決めピン３５が挿通される。
【００２４】
上記の位置決めピン３５の上部ヘッド３７は上部ピン穴３２より大径に形成され、下方へ抜け出さないようになっている。また位置決めピン３５の長さは、樋受本体１と樋保持部材２の板厚の合計寸法と同等かそれより長く形成され、下端に下部ヘッド３８が形成される。
【００２５】
下部ヘッド３８は下部ピン穴３３より小径であるが、上部ピン穴３２よりは大径に形成され、上方へ抜け出さないようになっており、またその下部ヘッド３８は前記の落し込み部３６の中に完全に落ち込む程度の厚さに形成されている。
【００２６】
第１実施形態は以上のごときものであり、この樋受具を図１の建物の軒先に取付けるに際し、予め判明している樋３９の出の寸法に合わせて樋受本体１に対する樋保持部材２の位置を調整（出調整）する。この場合、当初の状態が図３（ａ）のように位置決めピン３５が最も外側の下部ピン穴３３に挿通されているとして、その状態から２番目の下部ピン穴３３に移す必要があるとすると、まず同図（ｂ）のように、樋受具の上下を反転する。そうすると、位置決めピン３５も逆向きとなり、その自重によって下部ヘッド３８が落し込み部３６に落ち込む。下部ヘッド３８は落し込み部３６に嵌り、下部ピン穴３３から完全に抜け出すので、樋保持部材２は非拘束状態となる。
【００２７】
そこで、同図（ｃ）の水平矢印で示すように樋保持部材２をスライドさせ、２番目の下部ピン穴３３を上部ピン穴３２に合致させる。その上で樋受具を元の状態に再反転させると位置決めピン３５は上部ピン穴３２と２番目の下部ピン穴３３に嵌り、樋受本体１に対する樋保持部材２の新たな位置関係が設定される（同図（ｄ）参照）。
【００２８】
なお、樋保持部材２のスライドに伴い、樋耳係止部材２３も移動する。また、樋耳係止部材２３自体は長穴３４と小突起３１との間のすきま分だけ樋保持部材２３に対して移動することができ、樋３９の幅の相違や微小な出の寸法の相違に対応することができる。
【００２９】
上記のごとき出の寸法の設定方法に代えて、図３（ａ）の状態で、位置決めピン３５の上部ヘッド３７をつまんで持ち上げ、下部ヘッド３８を落し込み部３６に嵌入させたうえで樋保持部材２をスライドさせ、他の下部ピン穴３３に該位置決めピン３５を落し込むようにしてもよい。
【００３０】
前述のようにして、樋受具の出の寸法調整が終ると、取付け板６’に釘２０を打込んで所要数の樋受を建物に取付け、そのうえで外側樋耳係止部８と内側樋耳係止部２６に樋３９の外側樋耳４１と内側樋耳４２をそれぞれ係止して樋３９を取付ける。このとき、建物の取付面４３の位置的精度に誤差があると、その誤差により樋保持部材２の出の寸法が一定しないが、樋３９は所要の剛性があるので樋３９を取付けるとこれを基準として樋保持部材２が下部ピン穴３３と位置決めピン３５との間の余裕の範囲内でスライドして上記の誤差を吸収する。従って、樋３９は前記取付面４３の誤差にかかわらず、真直ぐに取付けられる。
【００３１】
なお、樋受具を建物に固定したのち出調整を行う場合は、図３（ｄ）の状態で位置決めピン３５を指で押し上げて下部ヘッド３８を落し込み部３６に移行させたのち、樋保持部材２をスライドさせる。
【００３２】
上記の誤差の吸収範囲を大きくするために、図４（ａ）、（ｂ）に示すように、下部ピン穴３３を長穴にしたり、更に同図（ｃ）、（ｄ）に示すように、上部ピン穴３２も長穴にすることができる。これらの場合、位置決めピン３５の上部ヘッド３７、下部ヘッド３８とに対する上部ピン穴３２及び下部ピン穴３３の大きさの関係は、同図（ｂ）、（ｄ）に示すようにこれら各ピン穴３２、３３の短径との関係で前述と同様に、上部ヘッド３７及び下部ヘッド３８は上部ピン穴３２の短径より大であり、下部ヘッド３８は下部ピン穴３３の短径より小である。
【００３３】
上記のように、誤差の吸収範囲を広くした場合、樋受本体１に対し、樋３９を取付けた樋保持部材２が振動等によりスライドして樋３９が平行移動するように考えられるが、実際は、樋３９には多数の樋受具の摩擦力が作用すると共に、その樋３９の一部に連結される縦樋の存在により一定位置に固定されるので移動するおそれはない。
【００３４】
なお、樋耳係止部材２３は、図５（ａ）（ｂ）に示すように、その天板部２４に、上部挿通穴２９ａと下部挿通穴２９ｂとを間隔をおいて設け、その上部挿通穴２９ａに樋受本体１、下部挿通穴２９ｂに樋保持部材２を挿通した構成とすることができる。
【００３５】
この場合、樋保持部材２の途中に屈曲部２ａを形成すると共に、その建物側の端部に抜け止め用の屈曲係止部２ｂを形成する。屈曲部２ａの存在により、上部挿通穴２９ａに挿通された樋受本体１の部分と、下部挿通穴２９ｂに挿通された樋保持部材２の部分は上下に一定間隔をおいて対向するが、このような場合も「特許請求の範囲」にいう「重なり部分」に含まれる。
【００３６】
以上述べた第１の実施の形態においては、上部ピン穴３２の下端にテーパ状の落し込み部３６を設けてこれに下部ヘッド部３８を落し込むようにしているが、図６（ａ）、（ｂ）に示すように、下部ヘッド部３８を薄く形成すると、上記のごときテーパ状の落し込み部３６を設けることなく、樋受本体１と樋保持部材２の間の加工公差によるすき間をもって落し込み部３６’とすることができる。
【００３７】
更に、図７に示すように、樋耳係止部材２３に間隔Ｇをおいて上部挿通穴２９ａ、下部挿通穴２９ｂを設け、樋受本体１と樋保持部材２とをこれらの挿通穴２９ａ、２９ｂに挿通し、樋受本体１と樋保持部材２の水平部も間隔Ｇをおいて上下に対向した構成をとることができ、このような構成も「特許請求の範囲」にいう「重なり部分」に含まれる。この場合は、間隔Ｇの部分が落し込み部３６’となり樋受具全体を上下に反転すると、下部ヘッド３８はその落し込み部３６に落ち込み、前記と同様の寸法調整を行うことができる。
【００３８】
以下の実施形態において「落し込み部３６」として示す場合も、これを前記のすき間や間隔Ｇによる「落し込み部３６」におきかえることが可能である。
【００３９】
（第２実施形態）
次に、図８に示した第２実施形態は、第１実施形態と同様の樋耳係止部材２３を用いたものであるが、樋受本体１の上面に樋保持部材２をスライド自在に重ねた点及び樋耳係止部材２３の抜け止めを樋保持部材２の内端に上向きに屈曲した係合部４５を設けることにより形成した点で相違する。この場合の樋耳係止部材２３は上記の係合部４５により抜け止めが図られると共に、係合部４５と位置決めピン３５の間を自由にスライドすることができ、そのスライドの範囲内で各種の樋３９の幅の大きさに対応することができる。
また、この場合の出の寸法調整の要領は前述の場合と同様である。
【００４０】
図９は上記図８に示した第２実施形態の変形例であり、樋保持部材２に対する樋耳係止部材２３の抜け止めを図るため、樋保持部材２に長穴３４を形成すると共に樋耳係止部材２３の穴２９の内端上面に小突起３１を形成し、その小突起３１を上記の長穴３４に係合させたものである。
【００４１】
（第３実施形態）
図１０に示した第３実施形態は、上記の第２実施形態（図８参照）において、樋耳係止部材２３の天板部２４にピン穴４６を設け、挿通穴２９に挿通される樋保持部材２に設けた上部ピン穴３２と落し込み部３６及び樋受本体１に設けた下部ピン穴３３を上記ピン穴４６に合致させ、これらに位置決めピン３５を挿通したものである。天板部２４のピン穴４６の直径は、上部ピン穴３２と同じである。その他の構成及び作用は、第２の実施の形態と同じである。但し、この場合は位置決めピン３５を介して、樋耳係止部材２３が樋受本体１と樋保持部材２の両部材に係合される。
【００４２】
図１１は、第３実施形態（図１０）の変形例であり、樋耳係止部材２３に上部挿通穴２９ａ、下部挿通穴２９ｂを形成し、樋保持部材２に屈曲部６８を設けて、上部挿通穴２９ａに挿通させると共に、樋受本体１を下部挿通穴２９ｂに挿通したものであり、これらの挿通部分において、樋保持部材２と樋受本体１との間に間隔Ｇの落し込み部３６’が形成される。
【００４３】
（第４実施形態）
図１２に示した第４実施形態は、基本的には従来のもの（図４５参照）と同一であり、同一部分は同一符号を付して示し、その説明を省略する。相違する点は、水平部３と７の重なり部分１０において、樋受本体１水平部３に前述の第１実施形態と同様に上部ピン穴３２を１箇所に設けると共に、樋保持部材２の水平部７の３箇所に下部ピン穴３３を設け、これらのピン穴３２、３３に位置決めピン３５を挿通した点である。上部ピン穴３２の下端には前述の場合と同様のテーパ状に拡径した落し込み部３６が設けられる（同図（ｂ）参照）。位置決めピン３５に上部ヘッド３７、下部ヘッド３８が設けられる点、これらの径と上部ピン穴３２、下部ピン穴３３との大きさの関係は前述の各実施形態と同一である。また、この場合の出の寸法調整の方法も前述の各実施形態と同様である。
【００４４】
なお、上記第４実施形態と、前述の第１〜第３実施形態との基本的相違は、前者が樋受本体１と樋保持部材２の２部材を基本的な構成部材としているのに対し、後者は、これらの部材に加えて樋耳係止部材２３を有する点である。
【００４５】
（第５実施形態）
図１３に示した第５実施形態の樋受具は、樋受本体１も樋保持部材２もＬ形に屈曲したシンプルな形状のものであるが、その機能は図１２の第４の実施の形態と同様であり、また、出の寸法調整の機能も同様である。
【００４６】
（第６実施形態）
図１４及び図１５に示した第６実施形態は、樋受本体１と、樋保持部材２’の２部材を基本的構成要素としている。樋受本体１は、前述の各実施形態と同様に水平部３と取付け部６とから成り、取付け部６に取付け板６’が固着される。
【００４７】
樋保持部材２'は、前述の硬質プラスチックの一体成形品でなり、樋耳係止部材２３の天板部２４の外端面に天板部２４と同じ厚さの水平部７を一体に設けると共に、その先端に外側樋耳係止部８を設け、更に、天板部２４の内端面から水平部７の先端部まで、前記樋受本体１の水平部３がスライド自在に挿入される挿入穴４８を設けたものである。その挿入穴４８に水平部３が挿入されることにより、重なり部１０が形成される。
【００４８】
上記の樋受本体１の水平部３には、３箇所の下部ピン穴３３が設けられる。また、樋保持部材２’の上面には、前記の挿入穴４８に貫通した上部ピン穴３２が設けられ、下部ピン穴３３の１つと対向する。その下部ピン穴３３と対向した上部ピン穴３２の下端にテーパ状に拡径された落し込み部３６が形成される。更に、樋保持部材２の下面と挿入穴４８との間に前記の上部ピン穴３２と同芯状態かつ前記下部ピン穴３３と同一径の最下部ピン穴４９が設けられる。
【００４９】
位置決めピン３５は、上記の上部ピン穴３２、下部ピン穴３３及び最下部ピン穴４９に挿通され、その位置決めピン３５の上端に上部ヘッド３７、下端に下部ピン穴３３及び最下部ピン穴４９より小径の下部ヘッド３８が設けられる。この場合も、前述の各実施の形態と同様に、樋受具全体の上下を反転させると下部ヘッド３８が落し込み部３６に落ち込むので、樋受本体１に対し、樋保持部材２’をスライドさせることができ、出の寸法調整を行うことができる。
【００５０】
図１６は第６実施形態の変形例であり、この場合は、樋耳係止部材２３の天板部２４の下半分の外端面に水平部７を一体化して樋保持部材２’を形成し、天板部２４の挿通穴２９に挿通した樋受本体１の水平部３を水平部７上に重ねて重なり部１０を形成する。上記の水平部３に上部ピン穴３２及び落し込み部３６を設けると共に、水平部７に複数の下部ピン穴３３を設け、両者に位置決めピン３５を挿通している。
【００５１】
図１７は他の変形例であり、樋耳係止部材２３の天板部２４の上半分の外端面に水平部７を一体化し、天板部２４の挿通穴２９に挿通した樋受本体１の水平部３を水平部７の下面に重ね、水平部７上部ピン穴３２が落し込み部３６、樋受本体１の水平部３に下部ピン穴３３を設け、両方のピン穴３２、３３に位置決めピン３５を挿通している。
【００５２】
図１８のその他の変形例は、図１５に示した第６の実施の形態において、樋受本体１の取付け部６を上向きに屈曲したものである。
【００５３】
（第７実施形態）
図１９から図２１は第７実施形態であり、この場合は、第２の実施の形態の変形例（図９参照）と同様に、樋受本体１の水平部３上に樋保持部材２の水平部７をスライド自在に重ね重ね部分１０を形成している。樋受本体１の水平部３には、長さ方向に所要の間隔をおいて３箇所の固定側ピン穴５１が設けられる。また樋保持部材２には同様の大きさの１箇所の可動側ピン穴５２が設けられる。
【００５４】
樋耳係止部材２３は、前記の場合と同様に、天板部２４、内側脚部２５、内側樋耳係止部２６、外側脚部２７及び樋耳押さえ部２８とからなる。また、天板部２４に挿通穴２９が設けられ、その挿通穴２９に樋受本体１と樋保持部材２が挿通される。また、上記挿通穴２９の内端下面に小突起３１が設けられ、その小突起３１が樋保持部材２の長穴３４に係合される。
【００５５】
上記の樋耳係止部材２３の天板部２４の外端面に、図２０に示すように薄肉のアーム５３が設けられる。そのアーム５３は樋保持部材２の上面に沿って伸び出し、その先端部に下向きの位置決めピン５４が設けられると共に、上向きの指掛け部５５が設けられる。その指掛け部５５に指を当て、上向きに押し上げるとアーム５３は図２１の一点鎖線の状態から実線で示すように弾性変形する。
【００５６】
上記構成の樋受具において、出調整を行うには、樋耳係止部材２３の指掛け部５５を指先で押し上げて弾性変形させると、位置決めピン５４が、固定側ピン穴５１及び可動側ピン穴５２から外れる。そこで、樋耳係止部材２３と共に、樋保持部材２をスライドさせて、可動側ピン穴５２を他の固定側ピン穴５１に合致させ、アーム５３を元の状態に戻すと両方のピン穴５１、５２に位置決めピン５４が挿入され、出調整を完了する。しかるのちに、建物に取付け、樋３９を掛ける。
【００５７】
なお、樋耳係止部材２３の変形例として、図２２に示すように、アーム５３の両側に下向きの両側壁５６、５６を形成して、その断面を下向きコの字形に形成し、樋受本体１の水平部３と、樋保持部材２とをその両側壁５６、５６の間に嵌め、両者のずれ止めを図るようにしてもよい。
【００５８】
図２３は上記第７実施形態の変形例であり、この場合は樋耳係止部材２３のアーム５３は水平部３の下面の高さに形成され、位置決めピン５４は上向きに、また指掛け部５５は下向きに形成される。この場合は、指掛け部５５を下方へ押下げることにより、位置決めピン５４を固定側及び可動側のピン穴５１、５２から抜け出す。その他の構成は前述のものと同様である。
【００５９】
図２４に示したものも第７実施形態の他の変形例であり、この場合は樋受本体１の水平部３の下面に樋保持部材２を重ね、樋耳係止部材２３の位置決めピン５４を樋受本体１の固定側ピン穴５１と樋保持部材２の可動側ピン穴５２とに挿通するようにしたものである。
【００６０】
更に、図２５に示した他の変形例は、前述の第６実施形態（図１４、図１５参照）と同様に、樋耳係止部材２３と、水平部７’及び外側樋耳係止部８を硬質プラスチックで一体成形したものであり、天板部２４の内端面から水平部２’の先端部まで、前記樋受本体１の水平部３がスライド自在に挿入される挿入穴４８が設けられる。
【００６１】
水平部３には３箇所の固定側ピン穴５１が設けられ、また水平部７’の１箇所に上下に貫通した可動側ピン穴５２が設けられる。
【００６２】
樋耳係止部材２３の天板部２４の部分には、アーム５３が水平２７’の上面に沿って設けられ、そのアーム５３に可動側ピン穴５２と１つの固定側ピン穴５１に嵌入される位置決めピン５４が下向きに形成されると共に、上向きに指掛け部５５が形成される。
なお、この場合も、位置決めピン５４を下方から上向きに挿入するようにしてもよい。
【００６３】
（第８実施形態）
図２６は、第８実施形態であり、この場合はアーム５３’を天板部２４と一体の剛直な板により形成したものであり、そのアーム５３’に別体の位置決めピン３５を上下動自在に挿入している。アーム５３’のピン挿通穴６４の下端にテーパ状に拡径した落し込み部３６が形成されており、樋受具全体を上下に反転させると、下部ヘッド３８がその落し込み部３６に落ち込み、樋受本体１と樋保持部材２の拘束を解除する。
【００６４】
（第９実施形態）
図２７及び図２８に示した第９実施形態は、基本的には前述の図９のものと同様の構成であるが、位置決めピン３５の上部ヘッド３７にばね片５８を固着し、そのばね片５８の一端を樋保持部材２’の水平面７上に固定している。ばね片５８の自由端には図２８に示すように、指掛け部５９が形成される。
【００６５】
また、樋保持部材２に一箇所の可動側ピン穴５２が設けられ、樋受本体１にこれと同一径の固定側ピン穴５１が３箇所に形成される。その他の構成は図９のものと同じである。
【００６６】
上記構成の樋受具において、出調整を行う場合は、ばね片５８の指掛け部５９に指先を掛けて引上げると、位置決めピン３５が固定側ピン穴５１から抜ける（図２８（ａ）の一点鎖線参照）。そこで、樋保持部材２をスライドさせ、位置決めピン３５を他の固定側ピン穴５１に挿入する。
【００６７】
なお、図２９（ａ）に示すように、ばね片５８に長穴６２を設け、その長穴６２に位置決めピン３５を挿通すると、そのばね片５８を引上げた際（一点鎖線参照）、位置決めピン３５がその長穴６２内で移動するので、固定側ピン穴５１、可動側ピン穴５２の径を小さくすることができる。
【００６８】
また、図２９（ｂ）に示すように、ばね片５８の長穴６２の部分にわん曲部６３を形成すると、ばね片５８を引上げた際に上部ヘッド３７がわん曲部６３に沿ってすべるため位置決めピン３７の倒れ方が小さくなり、固定側ピン穴５１、稼動側ピン穴５２の径を一層小さくすることができる。
【００６９】
上記の位置決めピン３５に代え、図３０（ａ）（ｂ）に示すように、ばね片５８に下向きの切起し片６１を設け、その切起し片６１を可動側ピン穴５２及び固定側ピン穴５１に挿入するようにしてもよい。また、ばね片５８を断面下向きコの字形に形成し（図３０（ｂ）参照）、樋受本体１と樋保持部材２を抱持して両者の両側方への相対的なずれを防止するようにしてもよい。このような切起し片６１でも位置決めピン３５と実質的に同様の機能を有する。
【００７０】
更に、図３１及び図３２のようにばね片５８の一端を樋受本体９の下面に固定し、そのばね片５８の上面に固着した位置決めピン３５を樋受本体１に形成した１箇所の固定側ピン穴５１と、樋保持部材２に形成した３箇所の可動側ピン穴５２のうちの１つに挿通する。この場合も、位置決めピン３５に代えて前述のごとき切起し片を採用することができる。
【００７１】
出調整を行う場合は、ばね片５８を下方に下げて位置決めピン３５を可動側ピン穴５２から抜き（図３２（ａ）の一点鎖線参照）、しかるのちに樋保持部材２をスライドさせる。
【００７２】
なお、図３２（ｂ）に示すように、固定側ピン穴５１の穴径を２段に形成し（上段が大径、下段が小径）、上部ヘッド３７が固定側ピン穴５１の小径部から抜け出せないようにしておくと、ばね片５８と位置決めピン３５とを固着する必要は必ずしもない。
【００７３】
（第１０実施形態）
図３３は第１０実施形態である。基本的には前述の図８のもの（第２実施形態）と同様であるが、この場合は樋保持部材２の上部ピン穴３２を２箇所に設けている。これによって３箇所の下部ピン穴３３との組合せ方が増える。
【００７４】
前述の各実施の形態の上部ピン穴３２及び固定側ピン穴５１もこれらを２箇所以上に設けることができる。但し、位置決めピン３５をどの上部ピン穴３２（又は固定側ピン穴５１）に挿入するかは、工場における製作の際に選定される。
【００７５】
（第１１実施形態）
図３４（ａ）（ｂ）は第１１実施形態であり、樋受本体１と樋保持部材２とを抱持する角筒形のピン保持枠６５を嵌め、そのピン保持枠６５の上穴６６と下穴６７及び１箇所又は複数箇所の固定側ピン穴５１と複数の可動側ピン穴５２とに位置決めピン３５を挿通したものであり、上穴６６にテーパ状に拡径された落し込み部３６を形成している。位置決めピン３５の下部ヘッド３８の径は、下穴６７及び両方のピン穴５１、５２の径よりも小さく形成されているので、樋受具全体を上下反転させると、下部ヘッド３８が落し込み部３６に落ち込み、これにより樋受本体１と樋受保持部材２との拘束を解除する。
【００７６】
なお、図３５（ａ）（ｂ）に示すように、ピン保持枠６５をプレス成形により角筒形に製作し、その上穴６６のまわりに凹所６８を形成し、その凹所６８を上部ヘッド３７の落ち込み部とすることができる。
【００７７】
上記第１１実施形態によると、下部ヘッド３８を落し込み部３６に落し込むことにより位置決めピン３５を複数の可動側ピン穴５２の任意のものに自在に入れ替えができる。
【００７８】
（第１２実施形態）
図３６に示した第１２実施形態は、樋耳係止部材２３の天板部２４に天板穴６９を設け、その天板穴６９と可動側ピン穴５２との間にテーパ状に拡径された落し込み部３６を形成したものである。この場合は、下部ヘッド３８を落し込み部３６に落し込んだ場合に樋耳係止部材２３が自由にスライドできるので、位置決めピン３５を他の可動側ピン穴５２に容易に移すことができる。
【００７９】
（第１３実施形態）
図３７から図３９に示した第１３実施形態は、樋受本体１と樋保持部材２の２部材により構成される。樋受本体１は、断面コの字形に成形されたもの逆Ｌ形に屈曲して、水平部３と取付け部６とを形成したものであり、その取付け部６に取付け板６’を固着している。上記の水平部には長さ方向に一定間隔をおいて複数の下部ピン穴３３を一列に設け、各下部ピン穴３３相互間をスリット７１により連続させている。このスリット７１を省略し、各下部ピン穴３３を独立させてもよい。
【００８０】
樋保持部材２は、硬質プラスチックの一体成形品から成り、天板部２４の内端部に外向きＬ字形の内側樋耳係止部２６を形成すると共に、その下端に垂直下向きの案内部７２を形成している。また、天板部２４下面中央部分に、外向きの傾斜部７６を設け、その傾斜部７６に弾力性を有する樋耳押さえ部２８を形成し、その先端部を前記案内部７２の上端部分に対向させている。
【００８１】
また、上記天板部２４の外端から下方に延び、更に途中で水平に外向きに屈曲した外側樋耳押さえ部７３を形成すると共に、前記の傾斜部７６の下端に外向きに延びた外側樋耳係止部８を形成している。外側樋耳係止部８と前記の外側樋耳押さえ部７３は、上下に一定間隔をおいて平行に対向する部分において上下方向の連結リブ７４により一体に連結されている。外側樋耳係止部８の先端は、樋３９の外側樋耳４１の形状に応じて上方にわん曲しており、その先端部分に外側樋耳押さえ部７３が一定の間隔をおいて対向している。
【００８２】
上記の天板部２４には、その厚みの部分に内外方向に貫通した挿通穴２９が設けられている。その挿通穴２９の下面の一部、即ち、前記の内側樋耳係止部２６と傾斜部７６との間に開放部７７が設けられる。また、上記挿通穴２９の上面の内端から中程までの間に溝７５が形成され（図３８参照）、その溝７５の部分において天板部２４の上面から溝７５に連通した上部ピン穴３２が１箇所に設けられる。
【００８３】
上記の挿通穴２９には前述の樋受本体１の水平部３が挿通され、上部ピン穴３２と、該水平部３の下部ピン穴３３に位置決めピン３５が挿通される。この位置決めピン３５の上部ヘッド３７は上部ピン穴３２より大径であり、また下部ヘッド３８は、下部ピン穴３３より小径であるが上部ピン穴３２よりは大径であり、かつ該下部ヘッド３８は前記の溝７５に嵌入することができる（図３９の一点鎖線参照）。
【００８４】
上記の構成の樋受具において、出調整を行うには、前述の各実施形態のもの同様に上下を反転させて位置決めピン３５の下部ヘッド３８を溝７５に落し込み、樋保持部材２をスライドさせて、再反転させることにより適宜な位置の他の下部ピン穴３３に挿通する。
【００８５】
前述の各実施形態では、下部ヘッド３８を落し込むために、上部ピン穴３２の下端にテーパ状に拡径した穴により落し込み部３６（例えば、図１参照）を設けていたが、このような穴に代えて前記のごとき溝７５でも下部ヘッド３８の落し込み部を形成することができる。
【００８６】
図４０から図４２に示したものは前述の第１３実施形態の変形例であり、基本的構造は図１から４に示した第１実施形態と同様である。この場合は樋受本体１の水平部３にその内外両端にわたり下向きに開放された溝７５が形成され、その溝７５に上部ピン穴３２が設けられ、下部ヘッド３８が落ち込むようになっている。
【００８７】
図４３及び図４４に示したものは、第１３実施形態の他の変形例であり、基本的構造は、図８に示した第２実施形態のものと同様であるが、樋保持部材２の内外両端にわたり、下向きに開放された溝７５が形成され、その溝７５に上部ピン穴３２が設けられ、下部ヘッド３８が落ち込むようになっている。
【００８８】
【発明の効果】
以上のように、各請求項に記載の発明は出の寸法調整を段階的に行うことが可能であり、その寸法調整は請求項１〜４、６〜１１に記載の発明は、位置決めピンの挿入位置を変えるために樋受具を反転させるか、指でつまみ上げたうえで樋保持部材をスライドさせたうえで該位置決めピンを他の下部ピン穴に挿入するという極めて単純な作業で行うことができ、しかもそのために必要な部品は位置決めピン１つである。このためコストの低減化及び寸法設定の作業が能率化される。
【００８９】
請求項５に記載の発明のように、樋耳係止部材にアームと位置決めピンを一体に成形したものは、指先の操作だけでピンの抜き出しができると共に、部品点数が減少する効果がある。
【００９０】
また、請求項９に記載の発明のように、ピン保持枠を設けたものは位置決めピンの下部ヘッドの落ち込み部を樋受本体又は樋保持部材に設ける必要がない。
【図面の簡単な説明】
【図１】第１実施形態の使用状態の断面図
【図２】同上の分解斜視図
【図３】（ａ）〜（ｄ）  同上の出の寸法設定の要領の説明図
【図４】（ａ）  同上の変形例の一部断面図
（ｂ）  （ａ）図の平面図
（ｃ）  同上の他の変形例の一部断面図
（ｄ）  （ｃ）図の平面図
【図５】同上の変形例の断面図
【図６】（ａ）  同上のその他の変形例の断面図
（ｂ）  （ａ）図の場合の出の寸法設定時の断面図
【図７】同上の変形例の断面図
【図８】第２実施形態の使用状態の断面図
【図９】同上の変形例の使用状態の断面図
【図１０】第３実施形態の使用状態の一部拡大断面図
【図１１】同上の変形例の一部断面図
【図１２】（ａ）  第４の実施の形態の使用状態の断面図
（ｂ）  同上の一部拡大断面図
【図１３】第５実施形態の使用状態の断面図
【図１４】第６実施形態の使用状態の断面図
【図１５】同上の一部切欠分解斜視図
【図１６】同上の変形例の使用状態の断面図
【図１７】同上の変形例の使用状態の断面図
【図１８】同上の変形例の使用状態の断面図
【図１９】第７の実施形態の使用状態の断面図
【図２０】同上の樋耳係止部材の斜視図
【図２１】同上の出調整後の状態を示す断面図
【図２２】同上の樋耳係止部材の他の変形例の斜視図
【図２３】同上の変形例の使用状態の断面図
【図２４】同上の他の変形例の使用状態の断面図
【図２５】同上の他の変形例の使用状態の断面図
【図２６】第８実施形態の使用状態の断面図
【図２７】第９実施形態の使用状態の断面図
【図２８】（ａ）  同上の一部断面図
（ｂ）  同上の一部斜視図
【図２９】（ａ）  同上の変形例の一部断面図
（ｂ）  同上の変形例の一部斜視図
【図３０】（ａ）  同上の変形例の一部断面図
（ｂ）  同上の変形例の一部断面図
【図３１】同上の変形例の使用状態の断面図
【図３２】（ａ）  同上の一部断面図
（ｂ）  同上の変形例の一部断面図
【図３３】第１０実施形態の使用状態の断面図
【図３４】（ａ）  第１１実施形態の使用状態の断面図
（ｂ）  （ａ）図のＸ−Ｘ線の拡大断面図
【図３５】（ａ）  同上の変形例の一部断面図
（ｂ）  （ａ）図の一部斜視図
【図３６】第１２実施形態の使用状態の断面図
【図３７】第１３実施形態の使用状態の断面図
【図３８】同上の一部切欠分解斜視図
【図３９】同上の一部拡大断面図
【図４０】同上の変形例の使用状態の断面図
【図４１】同上の分解斜視図
【図４２】同上の一部拡大断面図
【図４３】同上の他の変形例の使用状態の断面図
【図４４】同上の一部切欠分解斜視図
【図４５】従来例の断面図
【符号の説明】
１  樋受本体
２、２’  樋保持部材
２ａ  屈曲部
２ｂ  屈曲係止部
３  水平部
４  立上がり部
５  立上がり水平部
６  取付け部
６’  取付け板
７  水平部
８  外側樋耳係止部
９  立上がり部
１０  重なり部分
１１  立上がり水平部
１２  内側樋耳係止部
１３  押さえばね
１４、１４’  屈曲部
１５  長穴
１６  リベット
１７  長穴
１８  穴
１９  ボルト
２０  釘
２１  蝶ナット
２３  樋耳係止部材
２４  天板部
２５  内側脚部
２６  内側樋耳係止部
２７  外側脚部
２８  樋耳押さえ部
２９  挿通穴
２９ａ  上部穴
２９ｂ  下部穴
３１  小突起
３２  上部ピン穴
３３  下部ピン穴
３４  長穴
３５  位置決めピン
３６、３６’  落し込み部
３７  上部ヘッド
３８  下部ヘッド
３９  樋
４１  外側樋耳
４２  内側樋耳
４３  取付面
４５  係合部
４６  ピン穴
４８  挿入穴
４９  最下部ピン穴
５１  固定側ピン穴
５２  可動側ピン穴
５３’  アーム
５４  位置決めピン
５５  指掛け部
５６  側壁
５８  ばね片
５９  指掛け部
６１  切起し片
６２  長穴
６３  わん曲部
６４  ピン挿通穴
６５  ピン保持枠
６６  上穴
６７  下穴
６８  屈曲部
６９  天板穴
７１  スリット
７２  案内部
７３  外側樋耳押さえ部
７４  連結リブ
７５  溝
７６  傾斜部
７７  開放部
【図１】
0003652442.tif 000002
【図２】
0003652442.tif 000003
【図３】
0003652442.tif 000004
【図４】
0003652442.tif 000005
【図５】
0003652442.tif 000006
【図６】
0003652442.tif 000007
【図７】
0003652442.tif 000008
【図８】
0003652442.tif 000009
【図９】
0003652442.tif 000010
【図１０】
0003652442.tif 000011
【図１１】
0003652442.tif 000012
【図１２】
0003652442.tif 000013
【図１３】
0003652442.tif 000014
【図１４】
0003652442.tif 000015
【図１５】
0003652442.tif 000016
【図１６】
0003652442.tif 000017
【図１７】
0003652442.tif 000018
【図１８】
0003652442.tif 000019
【図１９】
0003652442.tif 000020
【図２０】
0003652442.tif 000021
【図２１】
0003652442.tif 000022
【図２２】
0003652442.tif 000023
【図２３】
0003652442.tif 000024
【図２４】
0003652442.tif 000025
【図２５】
0003652442.tif 000026
【図２６】
0003652442.tif 000027
【図２７】
0003652442.tif 000028
【図２８】
0003652442.tif 000029
【図２９】
0003652442.tif 000030
【図３０】
0003652442.tif 000031
【図３１】
0003652442.tif 000032
【図３２】
0003652442.tif 000033
【図３３】
0003652442.tif 000034
【図３４】
0003652442.tif 000035
【図３５】
0003652442.tif 000036
【図３６】
0003652442.tif 000037
【図３７】
0003652442.tif 000038
【図３８】
0003652442.tif 000039
【図３９】
0003652442.tif 000040
【図４０】
0003652442.tif 000041
【図４１】
0003652442.tif 000042
【図４２】
0003652442.tif 000043
【図４３】
0003652442.tif 000044
【図４４】
0003652442.tif 000045
【図４５】
0003652442.tif 000046